(57)【要約】      （修正有）【課題】軽量で、運転時の視界が良好で、製造が簡単であるとともに、車体として必要とされる剛性を確保した車体構造を提供する。【解決手段】一体成形物である上部ボデー２並びに熱可塑性樹脂組成物を成形して得られる一体成形物である下部ボデー１及びフロアの部品を締結し、前記上部ボデー２は、少なくとも上面に、車体の前後方向の中心線に対して左右対称で、該中心線に略平行する２本の稜線部を有しており、前記下部ボデー１は、底面及び該底面の全周から上方に立ち上がるように設けられたフランジ部を有しており、前記下部ボデー１の底面の中央には、車両前方部から車両後方部にわたって連続する凸条部が設けられており、前記下部ボデー１の車両中央部には、少なくとも２つの空間が形成され、この空間に搭載されるバッテリー等の自動車部品１１を、前記下部ボデー１と前記フロアとの締結によりを固定する。【選択図】図１
2015003725.tif 000002
【特許請求の範囲】
【請求項１】
透明な熱可塑性樹脂組成物を成形して得られる一体成形物である上部ボデー並びに熱可塑性樹脂組成物を成形して得られる一体成形物である下部ボデー及びフロアの樹脂製部品を締結することにより形成される、卵形状のモノコック構造の車体であって、
前記上部ボデーは、少なくとも上面に、車体の前後方向の中心線に対して左右対称で、該中心線に略平行する２本の稜線部を有しており、
前記下部ボデーは、底面及び該底面の全周から上方に立ち上がるように設けられたフランジ部を有しており、
前記下部ボデーの底面の中央には、車両前方部から車両後方部にわたって連続する凸条部が設けられており、
前記下部ボデーの車両中央部には、バッテリー等の自動車部品が搭載可能な、前記フランジ部、前記凸条部及び前記底面で囲まれた少なくとも２つの空間が形成されており、
この空間に搭載されるバッテリー等の自動車部品を、前記下部ボデーと前記フロアとの締結によりを固定することができ、
前記下部ボデーに前記上部ボデー及び前記フロアを載置し、前記上部ボデー及び前記フロアを前記下部ボデーの前記フランジ部及び前記凸条部と締結することにより形成される車体。
【請求項２】
前記凸条部の裏面に溝が設けられるとともに、該溝を横断する複数のリブが設けられることを特徴とする請求項１に記載の車体。
【請求項３】
前記上部ボデーが、前アッパーボデー、後アッパーボデー及びルーフの樹脂製部品に分割されていることを特徴とする請求項１又は２に記載の車体。
【請求項４】
前記上部ボデーを構成する前記透明な熱可塑性樹脂組成物がポリカーボネート樹脂組成物、アクリル樹脂組成物、環状ポリオレフィン樹脂組成物、又はポリフェニレンエーテル樹脂組成物であり、前記下部ボデー及び前記フロアを構成する前記熱可塑性樹脂組成物がポリカーボネート樹脂組成物、ポリエステル樹脂組成物、ポリアミド樹脂組成物、又はポリフェニレンエーテル樹脂組成物であることを特徴とする請求項１〜３のいずれかに記載の車体。
【請求項５】
前記樹脂製部品が、前記熱可塑性樹脂組成物から得られる樹脂板を熱プレス成形することにより成形されることを特徴とする請求項１〜４のいずれかに記載の車体。
【請求項６】
前記樹脂製部品が、前記熱可塑性樹脂組成物を射出成形することにより成形されることを特徴とする請求項１〜４のいずれかに記載の車体。
【請求項７】
前記下部ボデーの底面に複数個の独立した凸部を設け、前記下部ボデーと、前記上部ボデー及び前記フロアとの締結を、前記下部ボデーの前記フランジ部及び前記凸条部に加えて、該凸部においても行うことを特徴とする請求項１〜６のいずれかに記載の車体。
【請求項８】
前記上部ボデーに乗降口を形成する開口部を設け、形成された乗降口の全周に枠部材を設けることを特徴とする請求項１〜７のいずれかに記載の車体。
【請求項９】
前記枠部材にシートベルト、転落防止用部材、雨よけドア等を取り付けることを特徴とする請求項８に記載の車体。
【請求項１０】
前記乗降口下部に位置する前記フランジの一部を外部に延長して、該延長部の断面形状を下方に導いた後に上方に導く略Ｕ字形状とし、該延長部の先端を前記枠部材に結合することを特徴とする請求項８又は９に記載の車体。
【請求項１１】
前記稜線部の曲率は、前記上部ボデーのいずれの部分の曲率より小さく、かつ曲率半径
が５ｍｍ以上であることを特徴とする請求項１〜１０のいずれかに記載の車体。
【請求項１２】
前記車体が、超小型電気自動車の車体であることを特徴とする請求項１〜１１のい
ずれかに記載の車体。
【発明の詳細な説明】
【技術分野】
【０００１】
本発明は、透明な熱可塑性樹脂組成物を成形して得られる一体成形物である透明樹脂製部品を締結することにより形成される、卵形状のモノコック構造の車体であって、上部ボデーが少なくとも上面に、車体の前後方向の中心線に対して左右対称で、該中心線に略平行する２本の稜線部を有している車体に関するものであって、軽量で、運転時の視界が全面的に確保でき、製造が簡単であるとともに、車体として必要とされる剛性を確保した車体である。本発明の車体構造は、特に、１〜２人乗用の超小型電気自動車の車体に適するものである。
【背景技術】
【０００２】
近年、超小型電気自動車などのいわゆる超小型モビリティの開発、普及が図られている。
これは、省エネ・ＣＯ2削減が求められるとともに、高齢化、過疎化、地方の公共交通機関の廃止などが進行している状況において、小さな動力で駆動でき、年配者にも運転しやすく、低価格で提供できる超小型モビリティが新たな交通手段として期待されているためである。例えば、このような超小型モビリティとして、1人乗り超小型電気自動車である「コムス」がトヨタ車体株式会社から販売されている。
【０００３】
本発明は、特に、超小型電気自動車などの超小型モビリティに適した、軽量で、運転時の視界が良好で、製造が簡単であるとともに、車体として必要とされる剛性を確保した車体を提供するものである。
【０００４】
車体を軽量化するために合成樹脂を使用することは、特許文献１〜３に示されるように、従来より行われている。
特許文献１には、１〜２人乗用の小型車両の車体において、下部車体半部を、鋼板等の金属板のプレス成形あるいはＦＲＰ等の繊維強化合成樹脂材により一体に成形することが開示されている。
【０００５】
特許文献２には、芝生および庭のトラクターのような小さい乗り物用の、薄壁高い表面光沢を与えるプラスチック製の上部部材と繊維補強プラスチック製の下部部材を接合して成る車両組立体において、該組立体の硬さまたは剛性を改良するために、少なくとも３個の多面密閉仕切り室を上部部材、下部部材によって形成することが開示されている。
【０００６】
特許文献３には、アンダボデー、サイドメンバ、アツパボデー・インナ、アツパボデー・アウタ、フ―ド、前バンパ、後バンパ、ルーフ等の多数の主要部品の全てを合成樹脂で作成した車体において、アンダボデーの外周全体を囲むように下方へ開く断面略箱型の補強部を形成し、アンダボデーの中央部に、前後方向に通る隆起物部を形成することにより、車体の剛性を高く保つことが開示されている。
【０００７】
合成樹脂は、鉄板に比べて剛性が低いため、合成樹脂を車体の下部ボデーなどの構造部材に使用する場合は、車体の剛性が低下しやすく、走行中の車体の変形により操縦特性が変化し、操縦安定性が悪化するという問題が生じる。
【０００８】
このため、特許文献１〜２では、下部ボデー（下部車体半部、下部部材）がＦＲＰ等の繊維強化プラスチックで形成されており、下部ボデーを成形するために手間を要することとなる。また、特許文献３では、下部ボデー（アンダボデー）を、サイドメンバ、アツパボデー・インナ、アツパボデー・アウタ等の多数の主要部品と同様の合成樹脂で作成するとされているが、車体を構成する部品の数が多く部品の成形、組立てに手間を要し、また、バッテリーが搭載可能な空間の確保及びこの空間に搭載されるバッテリーの固定手段については何ら開示されていない。
【先行技術文献】
【特許文献】
【０００９】
【特許文献１】特開昭６１−１６６７７６号公報
【特許文献２】特開平５−１８５９５３号公報
【特許文献３】特開昭５９−４０９８０号公報
【発明の概要】
【発明が解決しようとする課題】
【００１０】
本発明の主要な課題は、軽量で、運転時の視界が全面的に確保でき、簡単に製造できるとともに、車体として必要とされる剛性を確保した車体構造を提供することにある。
さらに、本発明の車体は、特に、１〜２人乗用の超小型電気自動車の車体に適するものであるので、バッテリー等の自動車部品の搭載、固定、保守点検等が容易に行える車体構造を提供することも本発明の課題である。
【課題を解決するための手段】
【００１１】
前記課題を解決するため、発明者らは鋭意検討の結果、本発明に到達した。本発明の要旨を以下に示す。
（１）透明な熱可塑性樹脂組成物を成形して得られる一体成形物である上部ボデー並びに熱可塑性樹脂組成物を成形して得られる一体成形物である下部ボデー及びフロアの樹脂製部品を締結することにより形成される、卵形状のモノコック構造の車体であって、
前記上部ボデーは、少なくとも上面に、車体の前後方向の中心線に対して左右対称で、該中心線に略平行する２本の稜線部を有しており、
前記下部ボデーは、底面及び該底面の全周から上方に立ち上がるように設けられたフランジ部を有しており、
前記下部ボデーの底面の中央には、車両前方部から車両後方部にわたって連続する凸条部が設けられており、
前記下部ボデーの車両中央部には、バッテリー等の自動車部品が搭載可能な、前記フランジ部、前記凸条部及び前記底面で囲まれた少なくとも２つの空間が形成されており、
この空間に搭載されるバッテリー等の自動車部品を、前記下部ボデーと前記フロアとの締結によりを固定することができ、
前記下部ボデーに前記上部ボデー及び前記フロアを載置し、前記上部ボデー及び前記フロアを前記下部ボデーの前記フランジ部及び前記凸条部と締結することにより形成される車体。
【００１２】
（２）前記凸条部の裏面に溝が設けられるとともに、該溝を横断する複数のリブが設けられることを特徴とする（１）に記載の車体。
（３）前記上部ボデーが、前アッパーボデー、後アッパーボデー及びルーフの樹脂製部品に分割されていることを特徴とする（１）又は（２）に記載の車体。
（４）前記上部ボデーを構成する前記透明な熱可塑性樹脂組成物がポリカーボネート樹脂組成物であり、前記下部ボデー及び前記フロアを構成する前記熱可塑性樹脂組成物がポリカーボネート樹脂組成物またはポリアミド樹脂組成物であることを特徴とする（１）〜（３）のいずれかに記載の車体。
【００１３】
（５）前記樹脂製部品が、前記熱可塑性樹脂組成物から得られる樹脂板を熱プレス成形することにより成形されることを特徴とする（１）〜（４）のいずれかに記載の車体。
（６）前記樹脂製部品が、前記熱可塑性樹脂組成物を射出成形することにより成形されることを特徴とする（１）〜（４）のいずれかに記載の車体。
（７）前記下部ボデーの底面に複数個の独立した凸部を設け、前記下部ボデーと、前記上部ボデー及び前記フロアとの締結を、前記下部ボデーの前記フランジ部及び前記凸条部に加えて、該凸部においても行うことを特徴とする（１）〜（６）のいずれかに記載の車体。
【００１４】
（８）前記上部ボデーに乗降口を形成する開口部を設け、形成された乗降口の全周に枠部材を設けることを特徴とする（１）〜（７）のいずれかに記載の車体。
（９）前記枠部材にシートベルト、転落防止用部材、雨よけドア等を取り付けることを特徴とする（８）に記載の車体。
（１０）前記乗降口下部に位置する前記フランジの一部を外部に延長して、該延長部の断面形状を下方に導いた後に上方に導く略Ｕ字形状とし、該延長部の先端を前記枠部材に結合することを特徴とする（８）又は（９）に記載の車体。
【００１５】
（１１）前記稜線部の曲率は、前記上部ボデーのいずれの部分の曲率より小さく、かつ曲率半径が５ｍｍ以上であることを特徴とする（１）〜（１０）のいずれかに記載の車体。
（１２）前記車体が、超小型電気自動車の車体であることを特徴とする請求項（１）〜（１１）のいずれかに記載の車体。
【発明の効果】
【００１６】
本発明の車体は樹脂製部品から形成されるので、金属あるいはＦＲＰ等の繊維強化合成樹脂材を用いたものに比べ、軽量とすることができる。特に、小さな動力で駆動される超小型電気自動車などの超小型モビリティの車体として好適である。
【００１７】
さらに、本発明の車体の上部ボデーは透明な熱可塑性樹脂組成物を用いて成形されるので、運転時の視界が全面的に確保できる。特に、前アッパーボデー、後アッパーボデーなどの上部ボデーが透明であり、ごく近くの下方に存在する物、例えば幼児や小型動物などの視認性が向上し、タイヤの位置や切れ角が確認でき脱輪や乗り上げなどが防止でき、後方の視認性も向上して安全性が向上するため、年配者でも安全に運転することができる。
【００１８】
さらに、本発明の車体は、上部ボデー（上部ボデーを、前アッパーボデー、後アッパーボデー、ルーフなどの複数の部員に分割することもできる。）、フロア、下部ボデーを熱可塑性組成物でそれぞれ一体成形した後、締結して形成するので、簡単に製造することができ、ひいては、この車体を用いた車を低価格で提供できることとなる。特に、超小型電気自動車などの超小型モビリティの普及を図るためには、これを低価格で提供する必要があるため、車体の製造を簡単に行えることは大きなメリットである。
【００１９】
さらに、本発明の車体は、前記下部ボデーに設けたフランジ部及び凸条部によって剛性を高めるとともに、このフランジ部及び凸条部で、上部ボデー（上部ボデー２が、前アッパーボデー２−１、後アッパーボデー２−２及びルーフ２−３に分割されている場合には、前アッパーボデー２−１及び後アッパーボデー２−２）及びフロアを、下部ボデーに締結するので、車体、特に、超小型電気自動車などの超小型モビリティに必要とされる剛性を確保することができる。
【００２０】
さらに、本発明の車体は、下部ボデーの車両中央部に、バッテリー等の自動車部品が搭載可能な、前記フランジ部、前記凸条部及び前記底面で囲まれた少なくとも２つの空間が形成されており、この空間に搭載されるバッテリー等の自動車部品を、下部ボデーとフロアとの締結によりを固定するものであるので、バッテリー等の自動車部品の搭載、固定、保守点検等を容易に行うことができる。
【図面の簡単な説明】
【００２１】
【図１】本発明の一例である車両の側面図。
【図２】図１におけるＡ−Ａ断面図。（前方の車軸中心での断面図）
【図３】図１におけるＢ−Ｂ断面図。（後方の車軸中心での断面図）
【図４】図１におけるＸ−Ｘ断面図。（車体中央部での断面図）
【図５】図１に示した車体を、ルーフ、前アッパーホデー、後アッパーボデー、下部ボデー、フロア、前サブフレーム、後サブフレーム、枠部材に分離して示す斜視図。
【図６】本発明の凸条部の一例を示す斜視図。
【図７】本発明の凸条部の他の例を示す斜視図。
【図８】（ａ）は、本発明の凸条部の他の例を示す斜視図、（ｂ）は（ａ）のＣ−Ｃ断面図、（ｃ）は（ａ）のＤ−Ｄ断面図。
【図９】図６及び図７の凸条部を裏面より見た斜視図。
【図１０】下部ボデーの円錐台状の凸部を示す断面図。
【図１１】下部ボデーの円錐台状の凸部を示す斜視図。
【図１２】下部ボデーのフランジ延伸部を示す斜視図。
【図１３】下部ボデーのフランジ延伸部と枠部材との結合状況を示す断面図。
【図１４】サスペンションサブフレームと下部ボデー及び前アッパーボデーの結合状況を示す斜視図。
【図１５】開口部に設けられる枠部材の断面図。
【図１６】枠部材をシートベルトの取付部材として使用した例を示す斜視図。
【図１７】枠部材を転落防止部材の取付部材として使用した例を示す斜視図。
【図１８】枠部材を雨よけドアの取付部材として使用した例を示す斜視図。
【図１９】本発明の車両の一例を示す斜視図。
【図２０】図１９のＥ−Ｅ断面図。
【図２１】本発明の車両の形状の一例（角型形状）を示す側面図。
【図２２】本発明の車両の形状の他の例（トラック型形状）を示す側面図。
【図２３】本発明の車両の形状の他の例（オープンカー型形状）を示す側面図。
【図２４】シミュレーションで用いた数値を示すために、図１に寸法位置を記入した図。
【図２５】シミュレーションで用いた数値を示すために、図２に寸法位置を記入した図。
【図２６】シミュレーションで用いた数値を示すために、図３に寸法位置を記入した図。
【図２７】（ａ）はシミュレーションで用いた数値を示すために、図６に寸法位置を記入した図、（ｂ）はシミュレーションで用いた数値を示すために、図２７（ａ）のＦ−Ｆ断面図に寸法位置を記入した図。
【発明を実施するための形態】
【００２２】
本発明は、透明な熱可塑性樹脂組成物を成形して得られる一体成形物である上部ボデー並びに熱可塑性樹脂組成物を成形して得られる一体成形物である下部ボデー及びフロアの樹脂製部品を締結することにより形成される、卵形状のモノコック構造の車体であって、
前記上部ボデーは、少なくとも上面に、車体の前後方向の中心線に対して左右対称で、該中心線に略平行する２本の稜線部を有しており、
前記下部ボデーは、底面及び該底面の全周から上方に立ち上がるように設けられたフランジ部を有しており、
前記下部ボデーの底面の中央には、車両前方部から車両後方部にわたって連続する凸条部が設けられており、
前記下部ボデーの車両中央部には、バッテリー等の自動車部品が搭載可能な、前記フランジ部、前記凸条部及び前記底面で囲まれた少なくとも２つの空間が形成されており、
この空間に搭載されるバッテリー等の自動車部品を、前記下部ボデーと前記フロアとの締結によりを固定することができ、
前記下部ボデーに前記上部ボデー及び前記フロアを載置し、前記上部ボデー及び前記フロアを前記下部ボデーの前記フランジ部及び前記凸条部と締結することにより形成される車体に関するものである。
【００２３】
以下に、本発明の実施の形態について、図面にて具体例も示した上、順次説明するが、本発明はこれらに制限されるものではない。
図１〜４は本発明の車体が取り付けられた超小型自動車を示す。図１は側面図、図２は図１のＡ−Ａ断面（前方の車軸中心での断面）、図３は図１のＢ−Ｂ断面（後方の車軸中心での断面）、図４は図１のＸ−Ｘ断面図（車体中央部での断面図）である。なお、図１〜４は、下部ボデー１、上部ボデー２、フロア３を中心に車体構造を示すものであり、車軸、サスペンションサブフレームなどの図示は省略している。
図１における破線の四角部は、下部ボデーの車両中央部に搭載されたバッテリー等の自動車部品の断面を示している。
図５は本発明の車体の実施例を示すものである。
【００２４】
本発明の卵形状のモノコック構造の車体は、基本的には、熱可塑性樹脂組成物を成形して得られる一体成形物である下部ボデー１と、透明な熱可塑性樹脂組成物を成形して得られる一体成形物である上部ボデー２（前アッパーボデー２−１、後アッパーボデー２−２、ルーフ２−３）及び熱可塑性樹脂組成物を成形して得られる一体成形物であるフロア３とを、ボルトなどを用いて締結することにより形成される。上部ボデー２は、部品の成形のしやすさ、部品の締結のしやすさ等を考慮して、一体成形物として成形しても良いし、前アッパーボデー２−１、後アッパーボデー２−２、ルーフ２−３などの複数の部品をそれぞれ一体成形物として成形した後に締結して形成しても良い。
【００２５】
ここでいう「透明な熱可塑性樹脂組成物」とは、上部ボデー２（前アッパーボデー２−１、後アッパーボデー２−２、ルーフ２−３）を、運転時の視界が良好なものとするために用いられるものであって、ＪＩＳ Ｋ７１０５で測定された２ｍｍ厚みのヘーズが０．３〜２０％、好ましくは０．１〜１％であることを満足する熱可塑性樹脂組成物が用いられる。
【００２６】
これら樹脂製部品は、熱可塑性樹脂組成物を成形して一体成形物として得られる。ここでいう「一体成形物」とは、熱可塑性樹脂組成物を成形材料として用いて、熱プレス成形、射出成形等の１回の成形により成形される物品であることを意味し、ガラス繊維、炭素繊維等の繊維補強材製の織布を積層したり、このような織布に樹脂を含浸・賦形して得られる成形品は含まないものである。
【００２７】
上部ボデー２を構成する透明な熱可塑性樹脂組成物としては、ポリカーボネート樹脂組成物、アクリル樹脂組成物、環状ポリオレフィン樹脂組成物、ポリフェニレンエーテル樹脂組成物などを用いることができるが、この中でもポリカーボネート組成物は透明性に優れるとともに、衝撃吸収性が高く衝突時の安全性が向上し、さらに、耐衝撃性に優れ軽衝突においては破損しにくいので好ましい。
【００２８】
透明な熱可塑性樹脂組成物として用いられる、ポリカーボネート樹脂組成物、アクリル樹脂組成物、環状ポリオレフィン樹脂組成物、ポリフェニレンエーテル樹脂組成物などには、目的の特性が損なわれない範囲で、主成分の樹脂以外の熱可塑性樹脂を配合することができる。さらに、必要に応じて公知の添加剤（紫外線吸収剤、染顔料、熱線吸収能を有する化合物、各種安定剤、酸化防止剤、離型剤、ブルーイング剤、加水分解改良剤、難燃剤、滴下防止剤、帯電防止剤など）、各種充填材などを配合してもよい。
【００２９】
上部ボデー２の透明性を確保するためには、透明性を阻害する添加剤、充填材などはできるだけ配合しないことが好ましい。
【００３０】
下部ボデー１及びフロア３を構成する熱可塑性樹脂組成物としては、ポリカーボネート樹脂組成物、ポリエステル樹脂組成物、ポリアミド樹脂組成物、ポリフェニレンエーテル樹脂組成物などを用いることができるが、上部ボデー２、フロア３及び下部ボデー１として同じ樹脂組成物を用いるほうが、樹脂製部品が効率的かつ経済的に成形できるので、この観点からは、ポリカーボネート樹脂組成物を用いることが好ましい。
【００３１】
熱可塑性樹脂組成物として用いられる、ポリカーボネート樹脂組成物、ポリエステル樹脂組成物、ポリアミド樹脂組成物、ポリフェニレンエーテル樹脂組成物などには、目的の特性が損なわれない範囲で、主成分の樹脂以外の熱可塑性樹脂を配合することができる。さらに、必要に応じて公知の添加剤（紫外線吸収剤、染顔料、熱線吸収能を有する化合物、各種安定剤、酸化防止剤、離型剤、ブルーイング剤、加水分解改良剤、難燃剤、滴下防止剤、帯電防止剤など）、各種充填材などを配合してもよい。
【００３２】
特に、下部ボデー１の剛性を向上させるためには、熱可塑性樹脂組成物に炭素繊維、ガラス繊維などの短繊維を充填材として配合することが好ましい。
【００３３】
上部ボデー２、フロア３、下部ボデー１などの樹脂製部品の成形に用いられるポリカーボネート樹脂組成物のポリカーボネート樹脂としては、靭性に優れることから、ビスフェノールＡ型ポリカーボネートを用いることが好ましい。
【００３４】
ポリカーボネート樹脂としては、ビスフェノールＡ型ポリカーボネート以外にも、他の二価フェノールで重合された、各種のポリカーボネート樹脂を用いることができる。例えば、２，２−ビス（４−ヒドロキシ−３−メチルフェニル）プロパン（ビスフェノールＣ）、１，１−ビス（３−メチル−４−ヒドロキシフェニル）シクロヘキサン等が例示される。二価のフェノール以外にも、二価の脂肪族または、脂環式アルコールを重合、または共重合させた、ポリカーボネートまたは共重合ポリカーボネートであってもよい。脂環式アルコールとしては、イソソルビド（植物由来）が好適に利用される。
【００３５】
イソソルビドを共重合させたポリカーボネート樹脂は、下記式（１）で表されるカーボネート構成単位を含有するポリカーボネート樹脂であって、特に、イソソルビドを用いる場合には、樹脂製部品の硬度を高くすることができるので好ましい。さらに、ビスフェノールＡとイソソルビドを併用する場合には、樹脂製部品の耐衝撃性を保持したまま、硬度を高くすることができるので好ましい。
【００３６】
【化１】
2015003725.tif 000003
【００３７】
また、このポリカーボネート樹脂組成物として、芳香族ポリカーボネート樹脂、ポリ乳酸を含有する生分解性樹脂組成物を用いると、樹脂製部品の硬度を高くすることができるので好ましい。
【００３８】
熱可塑性樹脂組成物から、上部ボデー２、フロア３、下部ボデー１などの樹脂製部品を成形する方法としては、この樹脂組成物から得られる樹脂板を熱プレス成形する方法、この樹脂組成物を射出成形して成形する方法などを用いることができる。樹脂製部品の透明性を重視する場合には前者の熱プレス成形を用いることが好ましく、成形効率を重視する場合には、射出成形を用いることが好ましい。
【００３９】
本発明では、ボデーの曲げ剛性とねじり剛性を高め、車体として必要とされる剛性を確保するために、次のような手段を採用している。
１）下部ボデー１に、底面１−１の全周から上方に立ち上がるようにフランジ部１−２を設ける手段
２）下部ボデー１の底面１−１の中央に、車体前方部から車体後方部にわたって連続する凸条部１−３を設ける手段
３）下部ボデー１に、上部ボデー２（上部ボデー２が、前アッパーボデー２−１、後アッパーボデー２−２及びルーフ２−３に分割されている場合には、前アッパーボデー２−１及び後アッパーボデー２−２）及びフロア３を載置し、これらを下部ボデー１のフランジ部１−２及び凸条部１−３と締結する手段
【００４０】
下部ボデー１の上方から見た凸条部１−３の形状としては、図６に１−３−１で示すように、凸条部１−３の両端部とフランジ部１−２とが離れていても良いし、また、図７に１−３−２で示すように、凸条部１−３の両端部とフランジ部１−２とが接続されていても良い。
【００４１】
凸条部１−３の形状として、図８（ａ）及び（ｂ）に１−３−３で示すように、全体としては薄い板状体を立てた形状とし、上部ボデー２（上部ボデー２が、前アッパーボデー２−１、後アッパーボデー２−２及びルーフ２−３に分割されている場合には、前アッパーボデー２−１及び後アッパーボデー２−２）及びフロア３に、ボルトなどを用いて締結される部分を、略円錐台形状のボス部１−３−４としたものを採用することもできる。
【００４２】
さらに、図９に示すように、凸条部１−３の裏面に、車体の前後方向に延びる溝を設けるとともに、この溝を横断する複数のリブ１−３−５を設けることが好ましい。なお、下部ボデー１の板厚を一定の厚さとする場合には、下部ボデー１の底面１−１に凸条部１−３を形成することに伴い、凸条部１−３の裏面には、車体の前後方向に延びる溝が形成されることとなる。
このように溝にリブ１−３−５を設けることにより、軽量化を図りつつ、下部ボデー１の曲げ剛性及びねじり剛性を向上させることができ、これにより、車体全体の曲げ剛性及びねじり剛性を向上させることができる。また、剛性を考慮して、リブ１−３−５の形状、個数、間隔などを適宜設定することができ、また、リブ１−３−５を斜めに設置したり、クロス状に設置することも可能である。
【００４３】
上部ボデー２（上部ボデー２が、前アッパーボデー２−１、後アッパーボデー２−２及びルーフ２−３に分割されている場合には、前アッパーボデー２−１及び後アッパーボデー２−２）及びフロア３を、下部ボデー１のフランジ部１−２及び凸条部１−３において、下部ボデー１と締結することにより、車体を構成する部品を強固に結合できるので、ボデーの曲げ剛性及びねじり剛性を向上させることができ、これにより、車体全体の曲げ剛性及びねじり剛性を向上させることができる。車体を構成する部品を強固に結合するためには、凸条部１−３は下部ボデー１と一体に成形され、その頂面がフランジ部１−２を結ぶ面まで立ち上がっていることが好ましい。
【００４４】
下部ボデー１の車両中央部に形成された、フランジ部１−２、凸条部１−３及び底面１−１で囲まれた少なくとも２つの空間に、バッテリー、コントローラ、チャージャー等の自動車部品（以下、「バッテリー等」という）を搭載することにより、バッテリー等は周囲の樹脂隔壁により保護される。また、このバッテリー等の搭載位置は、車両の低位置にあるため、車両を低重心とすることができ、また、車両の前後中間にあるため、旋回モーメントの発生を少なくできる。このため、車両の操縦安定性を向上させることができる。
【００４５】
さらに、この空間に搭載されたバッテリー等は、下部ボデー１にフロア３を締結して固定するものであるので、バッテリー等の搭載、固定、保守点検等を容易に行うことができる。
【００４６】
図１０及び図１１に示すように、下部ボデー１の底面１−１に複数個の独立した凸部１−４を設け、下部ボデー１と、上部ボデー２（前アッパーボデー２−１、後アッパーボデー２−２）及びフロア３との締結を、下部ボデー１のフランジ部１−２及び凸条部１−３に加えて、該凸部１−４においても行うことにより、ボデーの曲げ剛性及びねじり剛性を一層向上させることができ、これにより、車体全体の曲げ剛性及びねじり剛性を一層向上させることができる。
【００４７】
凸部１−４の形状としては、図１０に示すように略円錐台形が好ましい。前アッパーボデー２−１とフロア３の締結はそれぞれの部品を重ね合わせると同時に凸部１−４の頂部も同時に締結する。すなわち下部ボデー１の一部である凸部１−４の頂部、前アッパーボデー２−１、フロア３の３つの部品が同時に締結されることとなる。４は締め付けビス、５はナットである。後アッパーボデー２−２とフロア３の締結部分についても同様の構造である。このように、凸部１−４の頂面において、前アッパーボデー２−１または後アッパーボデー２−２と、フロア３とを締結することにより、車体全体の曲げ剛性及びねじり剛性をより一層向上させることができる。車体を構成する部品を強固に締結するためには、凸部１−４は下部ボデー１と一体に成形され、その頂面がフランジ部１−２を結ぶ面まで立ち上がっていることが好ましい。凸部１−４は下部ボデー１、前アッパーボデー２−１または後アッパーボデー２−２及びフロア３の３つの部品を強固に締結するために設けられるものであり、この凸部１−４は、図１０に示すように下部ボデー１と一体に成形されても良いし、また、前アッパーボデー２−１もしくは後アッパーボデー２−２、又はフロア３と一体に成形されても良い。さらに、凸部１−４を、下部ボデー１、前アッパーボデー２−１、後アッパーボデー２−２、フロア３とは別体の、凸部１−４に相当する高さを有する部品としても良い。
【００４８】
また、図１１に示すように、凸部１−４を走行方向に対して横方向に２列に配して、この間にバッテリー等を搭載することにより、バッテリー等を一層安定して固定することができる。
【００４９】
図１２に示すように、上部ボデー２（前アッパーボデー２−１、後アッパーボデー２−２）に乗降口を形成する開口部を設け、形成された乗降口の全周に枠部材６を設けることにより、車体の剛性をさらに向上させるとともに、この枠部材６を、図１６〜１８に示すように、シートベルト６−７、転落防止用部材６−８、雨よけドア６−９を取り付ける部材などに利用することができる。この枠部材６としては、アルミ製で、円形状のものが好ましく、また、外周面の断面形状を外向き凹状とすることにより、乗降口の雨樋の役割を果たすこともできる。
【００５０】
図１３に示すように、枠部材６としては、アルミ製の外側枠部材６−１と内側枠部材６−２の２枚を締め付けビス６−３で締結したものが好ましい。
【００５１】
図１２及び図１３は、乗降口下部に位置するフランジ１−２の一部を外部に延長して、該延長部の断面形状を下方に導いた後に上方に導く略Ｕ字形状とし、該延長部の先端を枠部材６に結合することを示している。
【００５２】
具体的には、下部ボデー１のフランジ１−２の一般部はポイントＰが端末となるが、乗降口下部においては、フランジ１−２を外部に延長して、図１３に示すように、該延長部の断面形状を下方に導いた後に上方に導く略Ｕ字形状部（サイドシル形状部）１−５とし、該サイドシル形状部１−５の先端部１−６を２枚のアルミ製の外側枠部材６−１と内側枠部材６−２間で挟み込み、締め付けビス６−３で締結される。また、サイドシル形状部１−５とフランジ１−２、下部ボデー１側面で囲まれる部分には、補強のためリブ１−７、１−８を設け、下部ボデー１本体と枠部材６との結合を強固なものにしている。
【００５３】
このような構造とすることにより、車両を横から見た場合に、下部ボデー１がサイドシル形状部１−５により隠されるので車両の商品性を向上することができる。また、フランジ１−２の延長部の先端部１−６を枠部材６と結合することにより、足回りから下部ボデー１に伝達される荷重が、枠部材６を介して前アッパーボデー２−１、後アッパーボデー２−２、ルーフ２−３に伝達され、モノコック構造全体で荷重を分担するモノコックボデーとして理想的な応力分布にすることができる。また該構造により、車両の側面からの荷重（例えば側面衝突）に対して乗員やバッテリーを保護することができる。
【００５４】
図１４は、前サスペンションサブフレーム７、下部ボデー１、前アッパーボデー２−１の３者の締結構造を示す斜視図である。
【００５５】
前サスペンションサブフレーム７は懸架装置、ブレーキ装置、舵取り装置などを取り付ける部材で、これらの装置は前サスペンションサブフレーム７を介して樹脂モノコックボデーに締結される。具体的には、前サスペンションサブフレーム７はブラケット７−１，７−２と溶接で結合された構造となっており、サスペンションサブフレーム７は下部ボデー１の底面で締結されると同時にブラケット７−１，７−２を介してフランジ１−２および前アッパーボデー２−１と締結される。後サスペンションサブフレーム８と、下部ボデー１、後アッパーボデー２−２との締結も同様の構造である。
【００５６】
このように、前サスペンションサブフレーム７は広い面積で下部ボデー１の底面と接触し固定される構造になっている。
【００５７】
このような構造とすることにより、車両の足周りを構成するタイヤ、ホイール、サスペンション、舵取り装置、制動装置などは、前サスペンションサブフレーム７に組込まれた状態で車両に搭載することができる。また、前サスペンションサブフレーム７は、下部ボデー１の全周に存在するフランジ部１−２に前アッパーボデー２−１と共に三者で結合されるため、足周りの荷重は下部ボデー１の全周に存在するフランジ部１−２を介して車両全体に伝達され、モノコック構造全体で荷重を分担するモノコックボデーとして理想的な荷重分布とすることができる。
【００５８】
また、前サスペンションサブフレーム７が下部ボデー１の底面に局部的な当たりが無いように接するようにすることが好ましい。樹脂製モノコックボデーは局部的な荷重に対して十分な剛性を有さないので、樹脂モノコックボデーの底面に対して局部的な当りが生じない様に均一に接触する構造とすることにより、局部的な荷重の付加を回避し樹脂ボデーの局部変形を抑えることができる。
【００５９】
図１５は、車両の乗降口部に設置した枠部材６の断面図である。６−１は外側枠部材、６−２は内側枠部材、６−３は締め付けビス、６−４はインサートナット、６−５は前アッパーボデー２−１、後アッパーボデー２−２またはルーフ２−３である。６−６は雨樋として機能する部分である。
図１６は、枠部材６をシートベルト６−７の取付部材として使用した例を示すものである。
図１７は、枠部材６を転落防止部材６−８の取付部材として使用した例を示すものである。
図１８は、枠部材６を雨よけドア６−９の取付部材として使用した例を示すものである。
【００６０】
本発明のモノコック構造の車体の形状としては、図５〜６、図１６〜１８に示すような卵型が一般的に採用される。この理由としては、樹脂材料は金属に比較して許容応力が小さいことから、応力集中し易いコーナー部が無く、また、乗員スペースも確保できる卵型が一般的には好ましいといえるからである。
【００６１】
しかしながら、図１９に示すように、車体の上部ボデー２（前アッパーボデー２−１、後アッパーボデー２−２、ルーフ２−３）の側面には、通常、乗降口を形成する開口部１０が設けられるため、上部ボデー２の車両横方向の断面積が小さくなる。したがって、この部分の剛性を向上させるために、上部ボデー２の少なくとも上面に、車体の前後方向の中心線に対して左右対称で、該中心線に略平行する２本の稜線部９、９'を設けることが好ましい。
【００６２】
この稜線部９、９'は、上部ボデー２の前面、後面にわたって設けられても良いが、開口部１０周辺の剛性を向上させるために、少なくとも上部ボデーの上面に設けられることが必要である。
【００６３】
また、図２０に示すように、稜線部９、９'の曲率Ｒは、上部ボデー２のいずれの部分の曲率（前方の曲率Ｒ１、側方の曲率Ｒ２）より小さく、かつ曲率半径が５ｍｍ以上であることが好ましい。稜線部９、９'の曲率半径が５ｍｍに満たない場合には、稜線部９、９'によって形成される角部が鋭角となり、歩行者と衝突したような場合の安全性が低下するので好ましくない。（車両の前面から上面そして後面に至る折り曲げ形状のすべての断面についても、図２０の断面Ｅ−Ｅに準ずる。）
このような稜線部９、９'を設けることにより、モノコック構造の車体は、図５〜６、図１６〜１８に示すような、卵型で稜線部が無いものに対して、高い剛性を有するものとできる。
【００６４】
本発明の車両の形状としては、図２１に示すような角型形状、図２２に示すようなトラック型形状、図２３に示すようなオープンカー型形状のものを採用することができる。
【００６５】
＜車体の曲げ剛性及びねじり剛性の計算（シミュレーション）＞
以下の条件で、プリプロセッサーとして「Ｌ-ＤＥＡＳ １２ＮＸ」（ＳＤＲＣ社製）、ソルバーとして「ＡＤＩＮＡ  ８．５」（ＡＤＩＮＡ  Ｒ&Ｄ  社製）を用いて、車体の曲げ剛性及びねじり剛性を求めた。
樹脂：
パンライトＬ−１２５０Ｚ（帝人社製ポリカーボネート樹脂、分子量：２５，０００程度、ＭＦＲ：５．５程度）
板厚の寸法設定：
上部ボデー２（前アッパーボデー２−１、後アッパーボデー２−２、ルーフ２−３）、フロア３及び下部ボデーの板厚を３ｍｍと設定した。
【００６６】
車体の寸法設定：
図２４に示すように、車高（Ｈ）を１，５５４ｍｍ、全長（Ｌ）を２４８５ｍｍ、車軸間距離（Ｗ／Ｂ）を１，８１５ｍｍと設定し、図２５及び図２６に示すように、図２４のＡ−Ａ断面及びＢ−Ｂ断面におけるトレッドを（Ｔ）：８９０ｍｍと設定した。
下部ボデーの寸法の設定：
図２７（ａ）及び（ｂ）に示すように、下部ボデーのフランジ部１−２内部の前後方向の長さ（Ｑ）を２，２９４ｍｍ、下部ボデーのフランジ部内部の横方向の長さ（Ｓ）を７８０ｍｍと設定した。
【００６７】
凸条部の寸法の設定：
凸条部１−３を設けた車体について計算する場合には、凸条部１−３の前後方向の長さ（Ｖ）を１，８４５ｍｍ、凸条部１−３の底面からの高さ（Ｕ）を１５４ｍｍ、凸条部１−３の頂面の横の長さ（Ｔ）を１００ｍｍと設定した。頂部１００ｍｍは抜き勾配５度で底面に向かう形状とする。すなわちその断面は略台形をなす。（なお、上記のように、下部ボデーの板厚を３ｍｍと一定の厚さに設定しているため、凸条部１−３を形成することに伴い、凸条部１−３の裏面には、車体の前後方向に延びる溝が形成されることとなる。）  また、凸条部１−３の裏面に形成された前後方向の溝に、この溝を横断する複数のリブ１−３−５を設けた車体について計算する場合には、リブ１−３−５の板厚は下部ボデー１の板厚と同様に３ｍｍと設定し、図９に示すように、溝と直交して溝の断面全てを塞ぐリブ１−３−５を、溝の前後方向に等間隔に、１４個設けると設定した。
【００６８】
凸部の寸法の設定：
下部ボデー１の底面１−１に複数個の独立した凸部１−４を設けた車体について計算する場合には、凸部の形状及び配置を次のようにする。
凸部の形状：頂面は半径３０ｍｍでフランジ部１−２を結ぶ面に一致している。底面１−１に向かって抜き勾配５度をもって略円錐台形をなす。
凸部の配置：前方の車軸から後方に５５２ｍｍ及び１，１９２ｍｍ離れた、この車軸と平行な２本の直線と、車体の中心線から左右それぞれに１４０ｍｍ及び２８０ｍｍ離た、この中心線と平行な４本の直線との交点に、８個の凸部を配置する。
【００６９】
また、車体の曲げ剛性及びねじり剛性は、次のようにして求めた。
曲げ剛性：
車体を前方の車軸部及び後方の車軸部の２箇所を下から支持した状態で、
前方の車軸から後方に５５２ｍｍ及び１，１９２ｍｍ離れた位置２箇所に、車軸と平行に車体を横断する剛体の棒体を置き、この棒体にそれぞれ１００ｋｇの荷重を下向きに負荷して、下部ボデーが撓む変形量（ｍｍ）を計算により求める。
ねじり剛性：
前方の車軸部を支持した状態で、後方の車軸部を１度の角度にねじるのに必要なトルク（ｍＮ・ｍｍ）を計算により求める。
【００７０】
上記の条件で、
１）凸条部を設けない下部ボデーを採用した車体、
２）凸条部を設け、リブを設けない下部ボデーを採用した車体
３）凸条部及びリブを設けた下部ボデーを採用した車体
４）凸条部、リブ及び凸部を設けた下部ボデーを採用した車体
について、曲げ剛性及びねじり剛性を求めた。これらの数値を表１に示す。
【００７１】
【表１】
2015003725.tif 000004
【００７２】
上記の計算結果から明らかなように、下部ボデー１の底面１−１に凸条部１−３を設け、該凸条部１−３の裏面に車体の前後方向に延びる溝を形成するとともに、この溝を横断する複数のリブ１−３−５を設けること及び下部ボデー１と、上部ボデー３及びフロア３との締結を、下部ボデーのフランジ部１−２及び凸条部１−３において行うことにより、軽量化を図りつつ、下部ボデーの曲げ剛性及びねじり剛性を向上することができ、これにより、車体全体の曲げ剛性及びねじり剛性を向上することができる。
【００７３】
さらに、下部ボデー１の底面に複数個の独立した凸部１−４を設け、下部ボデー１と、上部ボデー２及びフロア３との締結を、下部ボデーのフランジ部１−２及び凸条部１−３に加えて、凸部１−４においても行うことにより、下部ボデーの曲げ剛性及びねじり剛性を一層向上することができ、これにより、車体全体の曲げ剛性及びねじり剛性を一層に向上することができる。
【産業上の利用可能性】
【００７４】
本発明に係るモノコックボデーを持つ車体は、超小型電気自動車に特に好適なものである。
【符号の説明】
【００７５】
１：下部ボデー
１−１：底面
１−２：フランジ部
１−３：凸条部
１−３−１：フランジ部と接続しない凸条部
１−３−２：フランジ部と接続する凸条部
１−３−３：板状体の凸条部
１−３−４：ボス部
１−３−５：凸条部のリブ
１−４：凸部
１−５：サイドシル形状部
１−６：（フランジ延長部の）先端部
１−７：補強リブ
１−８：補強リブ
２：上部ボデー
２−１：前アッパーボデー
２−２：後アッパーボデー
２−３：ルーフ
３：フロア
４：締め付けビス
５：ナット
６：枠部材
６−１：外側枠部材
６−２：内側枠部材
６−３：締め付けビス
６−４：インサートナット
６−５：前アッパーボデー２−１、後アッパーボデー２−２またはルーフ２−３
６−６：雨樋として機能する部分
６−７：シートベルト
６−８：転落防止用部材
６−９：雨よけドア
７：前サスペンションサブフレーム
７−１：ブラケット
７−２：ブラケット
８：後サスペンションサブフレーム
９，９'：上部ボデー（ルーフ）の稜線部
１０：乗降口を形成する開口部
１１：バッテリー等の自動車部品
【図１】
2015003725.tif 000005
【図２】
2015003725.tif 000006
【図３】
2015003725.tif 000007
【図４】
2015003725.tif 000008
【図５】
2015003725.tif 000009
【図６】
2015003725.tif 000010
【図７】
2015003725.tif 000011
【図８】
2015003725.tif 000012
【図９】
2015003725.tif 000013
【図１０】
2015003725.tif 000014
【図１１】
2015003725.tif 000015
【図１２】
2015003725.tif 000016
【図１３】
2015003725.tif 000017
【図１４】
2015003725.tif 000018
【図１５】
2015003725.tif 000019
【図１６】
2015003725.tif 000020
【図１７】
2015003725.tif 000021
【図１８】
2015003725.tif 000022
【図１９】
2015003725.tif 000023
【図２０】
2015003725.tif 000024
【図２１】
2015003725.tif 000025
【図２２】
2015003725.tif 000026
【図２３】
2015003725.tif 000027
【図２４】
2015003725.tif 000028
【図２５】
2015003725.tif 000029
【図２６】
2015003725.tif 000030
【図２７】
2015003725.tif 000031